(57)【要約】【課題】塗装膜を除去する等の追加的な作業を要さず、簡易な構造で、容易に２部材間の電気的導通性を確保しつつ、両部材を結合できるナットを提供する。【解決手段】ナット１は、第１の部材３１の開口３４と第２の部材３２の開口３５とを貫通して装着されるボルト２を受ける。このナット１は、導電性のナット部材３と電性のホルダ４とを具備する。ホルダ４は、ナット部材３に一体に組み付けられ、ホルダ本体１０と、食い込み部材１１とを具備する。ホルダ本体１０は、ナット部材３を軸周り相対回転不可能に保持し、かつナット部材３を第２の部材３２の開口３５に掛け止める。食い込み部材１１は、ナット部材３の第１の端面５と第２の部材３２との間に介在するようにホルダ本体１０に係止され、ボルト２とナット部材３との締め付けにより、塗装膜３３を貫通して第２の部材３２に突き刺さる食い込み爪２３を具備する。【選択図】図１
2013124671.tif 000002
【特許請求の範囲】
【請求項１】
導電部材である第１の部材と、塗装膜を有する導電部材である第２の部材とを電気的に導通させて結合するために、第１の部材の開口と第２の部材の開口とを貫通して装着されるボルトを受けるナットであって、
導電性のナット部材と、当該ナット部材に一体に組み付けられる導電性のホルダとを具備し、
前記ナット部材は、前記第２の部材の塗装面に対向するように配置される第１の端面と、その反対側の第２の端面と、第１の端面と第２の端面との間に貫通するねじ孔とを具備し、
前記ホルダは、前記ナット部材を軸周り相対回転不可能に保持し、かつ前記ねじ孔を前記第２の部材の開口対応位置に配置するようにナット部材を開口に掛け止めるホルダ本体と、ナット部材の第１の端面と第２の部材の塗装面との間に介在するようにホルダ本体に係止され、前記ボルトとナット部材の締め付けにより塗装膜を貫通して第２の部材に突き刺さる食い込み部材とを具備することを特徴とする導電ホルダ付きナット。
【請求項２】
前記ホルダ本体は、前記ナット部材を軸周り回転不可能に保持する保持部と、前記第２の部材の開口の縁部に掛け止め可能に前記ナット部材の第１の端面側に延出する複数の係合片とを具備することを特徴とする請求項１に記載の導電ホルダ付きナット。
【請求項３】
前記ナット部材は、さらに前記第１及び第２の端面に直角で互いに平行な少なくとも２対の側平面を有し、
前記ホルダ本体の保持部は、前記ナット部材のねじ孔に対応する貫通孔を有しナット部材の第２の端面に沿う底板部と、この底板部の相対向する周縁部から起立してナット部材の１対の側平面に沿う複数の保持片とを具備し、
前記ホルダ本体の係合片は、前記底板部の他の相対向する周縁部から起立して前記ナット部材の他の１対の側平面に沿う起立部と、この起立部の先端部から対向方向に屈折してナット部材の第１の端面に沿って延びる当接部と、この当接部の先端部から起立し外広がりに屈曲して延出する掛け止め部とを具備することを特徴とする請求項２に記載の導電ホルダ付きナット。
【請求項４】
前記ホルダの前記食い込み部材は、前記ナット部材のねじ孔に対応する貫通孔を有しナット部材の第１の端面に沿う基板部と、この基板部の相対向する周縁部からナット部材の第２の端面側に起立してナット部材の１対の側平面に沿う複数の保持突片と、基板部の端縁部からナット部材の第１の端面側に起立する複数の食い込み爪とを具備し、前記ボルトとナット部材の締め付けにより食い込み爪が塗装膜を破って前記第２の部材に突き刺さるように構成されることを特徴とする請求項３に記載の導電ホルダ付きナット。
【請求項５】
前記ナット部材は、さらに前記第１及び第２の端面に直角で互いに平行な２対の側平面を有する方形板状体であり、
前記ホルダ本体の保持部は、前記ナット部材のねじ孔に対応する貫通孔を有しナット部材の第２の面に沿う方形の底板部と、この底板部の相対向する周縁部から起立してナット部材の１対の側平面に沿う複数の保持片とを具備し、
前記ホルダ本体の係合片は、底板部の他の相対向する周縁部から起立してナット部材の他の１対の側平面に沿う１対の起立部と、この起立部の先端部から対向方向に屈折してナット部材の第１の端面に沿って延びる１対の当接部と、この当接部の先端部から起立し外広がりに屈曲して延出する１対の掛け止め部とを具備し、
前記ホルダの前記食い込み部材は、前記ナット部材のねじ孔に対応する貫通孔を有しナット部材の第１の端面に沿う方形の基板部と、この基板部の相対向する周縁部からナット部材の第２の端面側に起立してナット部材の１対の側平面に沿う複数の保持突片と、基板部の四隅部からナット部材の第１の端面側に起立する食い込み爪とを具備し、前記ボルトとナット部材の締め付けにより食い込み爪が塗装膜を貫通して前記第２の部材に突き刺さるように構成されることを特徴とする請求項２に記載の導電ホルダ付きナット。
【発明の詳細な説明】
【技術分野】
【０００１】
例えば、電気機器を収容する筐体においては、当該電気機器から生じる電磁波の漏洩を防止するために、筐体を構成する各部材間の電気的導通性を確保することが行われる。本発明は、例えば上記のような筐体を構成する一方の導電性部材と、他方の、塗装膜を有する導電性部材とを電気的導通性を確保して結合するために、ボルトと共に用いられる導電ホルダ付きのナットに関するものである。
【背景技術】
【０００２】
塗装膜を有する導電部材である接地端子とリード線とを導通させる接地治具として、特許文献１に記載されたものが知られている。この接地治具は、リード線が接続され且つネジ孔を有し且つ塗装膜に距離をあけて対向配置される導電部材である保持部材と、塗装膜と保持部材の間に設けられ、保持部材が接地端子から離れていかないようによう作用する固定手段と、導電部材であり且つ塗装膜に対し進行するようにネジ孔に螺合するネジと、ネジの先端に設けられ且つ塗装膜を貫通可能な形状を有する塗装貫通手段とを備える。
また、塗装された金属構造物を締結部品で締結して箱体を構成する閉鎖配電盤において、箱体の金属構造物の締結部に、締結により塗装皮膜を貫通する鋭利な突起が両面に形成された高硬度の座金を介在させる接地構成が、特許文献２に記載されている。
【先行技術文献】
【特許文献】
【０００３】
【特許文献１】特開２０１１−２２８１３４号公報
【特許文献２】実開平１−１８０１０５号公報
【発明の概要】
【発明が解決しようとする課題】
【０００４】
この出願に係る発明は、一方の導電性部材と、他方の塗装膜を有する導電性部材とを結合するために、ボルトと共に用いられるナットであって、塗装膜を除去する等の追加的な作業を要することなく、簡易な構造で、容易に２部材間を電気的導通性を確保しつつ、結合することができるものを提供することを目的としている。
【課題を解決するための手段】
【０００５】
以下、添付図面の符号を参照して説明するが、本発明はこれに限定されるものではない。
上記課題を解決するための、この出願に係る発明のナット１は、導電部材である第１の部材３１と、塗装膜３３を有する導電部材である第２の部材３２とを電気的に導通させて結合するために、第１の部材３１の開口３４と第２の部材３２の開口３５とを貫通して装着されるボルト２を受けるナットである。このナット１は、導電性のナット部材３と電性のホルダ４とを具備する。ナット部材３は、第２の部材３２に対向するように配置される第１の端面５と、その反対側の第２の端面６と、第１の端面５と第２の端面６との間に貫通するねじ孔９とを有する。ホルダ４は、ナット部材３に一体に組み付けられるホルダ本体１０と、食い込み部材１１とを具備し、ねじ孔９を第２の部材３２の開口３４に対応する位置に配置するように、ナット部材３を第２の部材３２に係止する。ホルダ本体１０は、ナット部材３を軸周り相対回転不可能に保持し、かつナット部材３を第２の部材３２の開口３５に掛け止める。食い込み部材１１は、ナット部材３の第１の端面５と第２の部材３２との間に介在するようにホルダ本体１０に係止され、ボルト２とナット部材３との締め付けにより、塗装膜３３を貫通して第２の部材３２に突き刺さる食い込み爪２３を具備する。
【発明の効果】
【０００６】
この出願に係る発明によれば、塗装膜を除去する等の追加的な作業を要することなく、簡易な構造で、容易に２部材間を電気的導通性を確保しつつ結合するナットを提供できる。
【図面の簡単な説明】
【０００７】
【図１】本発明の実施の一形態を示すナットの使用状態の断面図である。
【図２】図1のナットの斜視図である。
【図３】図1のナットの分解斜視図である。
【図４】図1のナットの正面図である。
【図５】図1のナットの平面図である。
【図６】図1のナットの底面図である。
【図７】図1のナットの側面図である。
【発明を実施するための形態】
【０００８】
図面を参照してこの発明の実施の形態を説明する。
ナット１は、導電部材である第１の部材３１と、塗装膜３３を有する導電部材である第２の部材３２とを電気的に導通させて結合するために、第１の部材３１の開口３４と第２の部材の開口３５とを貫通して装着されるボルト２を受けるものである。
【０００９】
ナット１は、導電性のナット部材３と導電性のホルダ４とを具備する。ナット部材３は、図示の実施形態において方形板状で、図１に示すように、第２の部材３２の塗装面３３に対向するように配置される第１の端面５、その反対側の第２の端面６、平行２対の側平面７，８、端面５，６間に貫通するねじ孔９を有する。
【００１０】
ホルダ４は、ホルダ本体１０と、食い込み部材１１とを具備し、いずれもナット部材３に一体に組み付けられる。ホルダ４は、ねじ孔９を第２の部材３２の開口３５に対応する位置に配置するように、ナット部材３を第２の部材３２に係止する。
【００１１】
ホルダ本体１０は、ナット部材３を軸周り相対回転不可能に保持し、かつナット部材３を第２の部材３２の開口３５に掛け止める。すなわち、ホルダ本体１０は、ナット部材３を軸周り回転不可能に保持する保持部１２と、第２の部材３２の開口３４の縁部に掛け止め可能にナット部材３の第１の端面５側に延出する一対の係合片１３とを具備する。
【００１２】
ホルダ本体１０の保持部１２は、底板部１５と、保持片１６とを具備する。底板部１５は、ナット部材３の第２の端面６に沿うほぼ方形状で、ナット部材３のねじ孔９に対応する貫通孔１４を有する。保持片１６は、底板部１５の相対向する周縁部から起立してナット部材３の１対の側平面８に沿う。
【００１３】
ホルダ本体１０の係合片１３は、起立部１７と、当接部１８と、掛け止め部１９とを具備する。起立部１７は、底板部１５の他の相対向する周縁部から起立してナット部材３の他の１対の側平面７に沿う。当接部１８は、起立部１７の先端部から相対向する方向に屈折して、ナット部材３の第１の端面５に沿って延びる。掛け止め部１９は、当接部１８の先端部から起立し、外広がりに屈曲してナット部材３の第１の端面５上に延出する。
【００１４】
食い込み部材１１は、ナット部材３の第１の端面５と第２の部材６の塗装面との間に介在するようにホルダ本体１０に係止され、ボルト２とナット部材３との締め付けにより、塗装膜３３を貫通して第２の部材３２に突き刺さる。
【００１５】
すなわち、食い込み部材１１は、基板部２１と、保持突片２２と、食い込み爪２３とを具備する。基板部２１は、ほぼ方形の板状で、ナット部材３のねじ孔９に対応する貫通孔２０を有し、ナット部材３の第１の端面５に沿うように配置される。保持突片２２は、基板部２１の相対向する周縁部からナット部材３側へ起立して、それの１対の側平面８に沿うように形成される。図示の実施形態において、保持突片２２は、ナット部材３を挟持することにより、食い込み部材１１をナット部材３上に固定している。食い込み爪２３は、基板部２１の四隅部からナット部材３の第１の端面５上に起立するように形成される。食い込み爪２３は、ボルト２とナット部材３の締め付けにより、塗装膜３３を破って第２の部材３２に突き刺さるように構成される。
【００１６】
第１の部材３１と第２の部材３２とを締結する場合には、第２の部材３２の開口３５に係合片１３を掛けてナット部材３のねじ孔９を開口３５のほぼ中心に対応する位置に配置する。第１の部材３１の開口３４と第２の部材３２の開口３５とを対向させた状態で、開口３４からボルト２を挿入して、ナット部材３のねじ孔９へ螺合させる。ナット部材３は、ホルダ２により回り止めされる。ボルト２とナット部材３とを締め付けると、食い込み部材１１がナット部材３と共に第２の部材３２側へ引き寄せられ、食い込み爪２３が塗装膜３３を貫通して第２の部材３２へ食い込む。これにより、第２の部材３２−食い込み部材１１−ナット部材３−ボルト２−第１の部材３１の電気的導通が確保され、同時に第１の部材３１と、第２の部材３２とが結合される。
【符号の説明】
【００１７】
１    ナット
２    ボルト
３    導電性のナット部材
４    導電性のホルダ
５    第１の端面
６    第２の端面
７    側平面
８    側平面
９    ねじ孔
１０  ホルダ本体
１１  食い込み部材
１２  保持部
１３  係合片
１４  貫通孔
１５  底板部
１６  貫通孔
１７  起立部
１８  当接部
１９  掛け止め部
２０  貫通孔
２１  基板部
２２  保持突片
２３  食い込み爪
３１  第１の部材
３２  第２の部材
３３  塗装膜
３４  開口
３５  開口
【図１】
2013124671.tif 000003
【図２】
2013124671.tif 000004
【図３】
2013124671.tif 000005
【図４】
2013124671.tif 000006
【図５】
2013124671.tif 000007
【図６】
2013124671.tif 000008
【図７】
2013124671.tif 000009